(57)【要約】【課題】負圧が生じた際に、内窓の障子が外れることを抑制できる二重サッシを提供する。【解決手段】二重サッシ１００は、建築物の開口部Ｐに設置され、外窓１及び内窓４を備えた二重サッシであって、外窓１では、屋内側から屋外側に向かう圧力が生じた際に、空気が屋内側から屋外側に流通可能となり、内窓４は、上枠４１、下枠４２及び左右の縦枠が枠組みして構成された枠体４０と、枠体４０内に左右方向にスライド可能に配置された外障子５０Ａ及び内障子５０Ｂと、を有し、外窓１及び内窓４が閉塞された閉塞状態で、屋内側から屋外側に向かう圧力が生じた際に、外障子５０Ａが内障子５０Ｂから離間する方向に変位可能であることを特徴とする。【選択図】図２
2019120089.tif 000002
【特許請求の範囲】
【請求項１】
建築物の開口部に設置され、外窓及び該外窓の屋内側に配置された内窓を備えた二重サッシであって、
前記外窓では、屋内側から屋外側に向かう圧力が生じた際に、空気が屋内側から屋外側に流通可能となり、
前記内窓は、上枠、下枠及び左右の縦枠が枠組みして構成された枠体と、該枠体内に左右方向にスライド可能に配置された外障子及び内障子と、を有し、
前記外窓及び前記内窓が閉塞された閉塞状態で、屋内側から屋外側に向かう圧力が生じた際に、前記外障子が前記内障子から離間する方向に変位可能であることを特徴とする二重サッシ。
【請求項２】
前記外障子及び前記内障子は、上下方向に延びる召合せ框をそれぞれ有し、
前記外障子の前記召合せ框の水平断面積は、前記内障子の前記召合せ框の水平断面積よりも小さい請求項１に記載の二重サッシ。
【請求項３】
前記外障子と前記内障子を施錠可能な施錠装置が設けられていない請求項１または２に記載の二重サッシ。
【請求項４】
前記外障子の召合せ框には、屋内側に延びる第１突出部と、該第１突出部から左右方向に延びる第１係合部と、を有する第１係合突起が設けられ、
前記内障子の召合せ框には、屋外側に延びる第２突出部と、該第２突出部から左右方向に延びる第２係合部と、を有する第２係合突起が設けられ、
前記第１係合突起及び前記第２係合突起は、各前記召合せ框の上下端部にのみ設けられ、
前記閉塞状態で、前記第１係合部と前記第２係合部とは係合可能に構成されている請求項１から３のいずれか一項に記載の二重サッシ。
【請求項５】
前記上枠または前記外障子の召合せ框には、前記閉塞状態で前記外障子の召合せ框が配置される直上の位置に、前記外障子の屋外側への移動を規制する移動規制部が設けられている請求項１から４のいずれか一項に記載の二重サッシ。
【発明の詳細な説明】
【技術分野】
【０００１】
本発明は、二重サッシに関するものである。
【背景技術】
【０００２】
従来から、防音性や断熱性の向上のために、建築物の開口部に外窓及び内窓を設けた二重サッシが知られている（例えば、特許文献１参照）。また、北海道等の寒冷地では、断熱性をさらに向上させるために、内窓に樹脂製のサッシが採用されることがある。
【０００３】
外窓及び内窓が引違いサッシの場合、正圧（屋外側から屋内側に向かう圧力）に対して、気密性を確保する構造とされている。そして、正圧が生じると、内窓には外窓に作用する圧力の約１割の大きさの圧力が作用し、負圧（屋内側から屋外側に向かう圧力）が生じると、内窓には外窓に作用する圧力の約８割の大きさの圧力が作用することが確認されている。
【先行技術文献】
【特許文献】
【０００４】
【特許文献１】実公昭６０−２８７６８号公報
【発明の概要】
【発明が解決しようとする課題】
【０００５】
中高層建築物のように障子に作用する風圧が大きい建築物で、内窓が負圧に耐えられず、内窓の障子が枠から外れたり、外れた障子が倒れてガラスが破損したりする虞がある。
【０００６】
そこで、本発明は、上記事情に鑑みてなされたものであり、負圧が生じた際に、内窓の障子が外れることを抑制できる二重サッシを提供する。
【課題を解決するための手段】
【０００７】
上記目的を達成するために、本発明は以下の手段を採用している。
すなわち、本発明に係る二重サッシは、建築物の開口部に設置され、外窓及び該外窓の屋内側に配置された内窓を備えた二重サッシであって、前記外窓では、屋内側から屋外側に向かう圧力が生じた際に、空気が屋内側から屋外側に流通可能となり、前記内窓は、上枠、下枠及び左右の縦枠が枠組みして構成された枠体と、該枠体内に左右方向にスライド可能に配置された外障子及び内障子と、を有し、前記外窓及び前記内窓が閉塞された閉塞状態で、屋内側から屋外側に向かう圧力が生じた際に、前記外障子が前記内障子から離間する方向に変位可能であることを特徴とする。
【０００８】
このように構成された二重サッシでは、外窓及び内窓が閉塞された閉塞状態で、負圧が生じた際に、内窓の外障子が内障子から離間する方向に変位可能である。これにより、内窓において、外障子と内障子との間（障子間層）には、屋内外方向に隙間が生じる。また、外窓では、負圧が生じた際に、空気を屋内側から屋外側に流通可能となる。よって、負圧が生じた際に、内窓の障子間層の隙間から外窓まで連通した空気の流路ができるため、内窓の屋内側と屋外側との圧力差（内窓に作用する圧力）を低減させることができ、内窓の外障子及び内障子が枠体から外れることが抑制される。
【０００９】
また、本発明に係る二重サッシでは、前記外障子及び前記内障子は、上下方向に延びる召合せ框をそれぞれ有し、前記外障子の前記召合せ框の水平断面積は、前記内障子の前記召合せ框の水平断面積よりも小さいことが好ましい。
【００１０】
このように構成された二重サッシでは、外障子の召合せ框の水平断面積は、内障子の召合せ框の水平断面積よりも小さい。このため、例えば外障子の召合せ框及び内障子の召合せ框が同一材料で構成されているような場合、外障子の召合せ框の強度は、内障子の召合せ框よりも強度よりも小さい。よって、負圧が生じた際に、外障子の召合せ框の方が内障子の召合せ框よりも屋外側に大きく撓むため、内窓の障子間層には屋内外方向に隙間が生じる。したがって、負圧が生じた際に、内窓の障子間層の隙間から外窓まで連通した空気の流路ができるため、内窓の屋内側と屋外側との圧力差（内窓に作用する圧力）を低減させることができ、内窓の外障子及び内障子が枠体から外れることが抑制される。
【００１１】
また、本発明に係る二重サッシは、前記外障子と前記内障子を施錠可能な施錠装置が設けられていなくてもよい。
【００１２】
このように構成された二重サッシでは、外障子と内障子とを施錠可能な施錠装置が設けられていないため、外障子は内障子に拘束されることがなく、屋外側に変位が可能である。これにより、負圧が生じた際に、外障子と内障子との間（障子間層）に隙間が確実に形成されるため、内窓の屋内側と屋外側との圧力差を低減させることができ、内窓の外障子及び内障子が枠体から外れることが確実に抑制される。
【００１３】
また、本発明に係る二重サッシは、前記外障子の召合せ框には、屋内側に延びる第１突出部と、該第１突出部から左右方向に延びる第１係合部と、を有する第１係合突起が設けられ、前記内障子の召合せ框には、屋外側に延びる第２突出部と、該第２突出部から左右方向に延びる第２係合部と、を有する第２係合突起が設けられ、前記第１係合突起及び前記第２係合突起は、各前記召合せ框の上下端部にのみ設けられ、前記閉塞状態で、前記第１係合部と前記第２係合部とは係合可能に構成されていてもよい。
【００１４】
このように構成された二重サッシでは、閉塞状態で、外障子の召合せ框に設けられた第１係合部は、内障子の召合せ框に設けられた第２係合部と係合可能に構成されている。また、第１係合突起及び第２係合突起は、各召合せ框の上下端部にのみ設けられている。よって、外障子の召合せ框の上下端部が屋外側に内障子よりも大きく変位すると外障子の第１係合部が内障子の第２係合部に係合されるため、外障子が枠体から外れることが抑制される。一方、外障子の召合せ框の上下方向の中間には第１係合突起及び第２係合突起が設けられていないため、負圧が生じた際に、外障子と内障子との間（障子間層）において、上下方向の中間には隙間が確実に形成されるため、内窓の屋内側と屋外側との圧力差の圧力を低減させることができ、内窓の外障子及び内障子が枠体から外れることが確実に抑制される。
【００１５】
また、本発明に係る二重サッシは、前記上枠または前記外障子の召合せ框には、前記閉塞状態で前記外障子の召合せ框が配置される直上の位置に、前記外障子の屋外側への移動を規制する移動規制部が設けられていてもよい。
【００１６】
このように構成された二重サッシでは、上枠または外障子の召合せ框には、閉塞状態で外障子の召合せ框が配置される直上の位置に、移動規制部が設けられている。よって、外障子の召合せ框が屋外側に大きく変位しようとすると、上枠の移動規制部により外障子は屋外側への移動が規制されるため、外障子が枠体から外れることがさらに抑制される。
【発明の効果】
【００１７】
本発明に係る二重サッシによれば、負圧が生じた際に、内窓の外障子及び内障子が外れることを抑制できる。
【図面の簡単な説明】
【００１８】
【図１】本発明の第一実施形態に係る二重サッシを屋内側から見た正面図である。
【図２】図１のＡ−Ａ線断面図である。
【図３】図１のＢ−Ｂ線断面図である。
【図４】図２のＣ部拡大図である。
【図５】図３のＤ部拡大図である。
【図６】本発明の第一実施形態に係る二重サッシにおいて、負圧が生じた際の内窓の外障子及び内障子の状態を示す模式図である。
【図７】本発明の第一実施形態に係る二重サッシにおいて、負圧が生じた際の内窓の外障子の召合せ框及び内障子の召合せ框の状態を示す図であり、図５に相当する図である。
【図８】本発明の第一実施形態に係る二重サッシにおいて、負圧が生じた際の内窓の状態を示す模式的な縦断面図である。
【図９】本発明の第一実施形態に係る二重サッシの外窓において、負圧が生じた際の挙動を示す図である。
【図１０】本発明の第一実施形態の変形例に係る二重サッシにおいて、図５に相当する図である。
【図１１】本発明の第二実施形態に係る二重サッシの内窓の外障子の構成を示し、（ａ）は上端部の構成を模式的に示した図であり、（ｂ）は下端部の構成を模式的に示した図である。
【図１２】本発明の第二実施形態に係る二重サッシの内窓の外障子の上端部の構成を模式的に示した斜視図である。
【図１３】本発明の第二実施形態に係る二重サッシの内窓の外障子の上端部の構成を説明する模式的な分解斜視図である。
【図１４】本発明の第二実施形態に係る二重サッシの内窓の外障子の上端部の召合せ框側の構成を説明するための図である。
【図１５】本発明の第二実施形態に係る二重サッシの内窓の外障子の下端部の構成を模式的に示した斜視図である。
【図１６】本発明の第二実施形態に係る二重サッシの内窓の外障子の下端部の構成を説明する模式的な分解斜視図である。
【図１７】本発明の第二実施形態に係る二重サッシの内窓の外障子及び縦枠の構成を説明するための図であり、（ａ）外障子が開いている状態、（ｂ）外障子が閉じている状態、（ｃ）外障子が閉じた状態で負圧が作用した状態を示している。
【発明を実施するための形態】
【００１９】
（第一実施形態）
以下、本発明の第一実施形態に係る二重サッシについて、図１から図８に基づいて説明する。
図１は、本発明の第一実施形態に係る二重サッシを屋内側から見た正面図である。図２は、図１のＡ−Ａ線断面図である。図３は、図１のＢ−Ｂ線断面図である。なお、図３において、網戸３０（図２参照）の図示を省略している。
図１から図３に示すように、二重サッシ１００は、建築物の壁部Ｗの開口部Ｐに設けられ、屋外側に配置された外窓１と、屋内側に配置された内窓４と、を備えている。
なお、以下の説明において、屋外側と屋内側とを結ぶ方向を屋内外方向と称する。また、開口部Ｐが壁部Ｗを貫通する方向（壁部Ｗに対向する方向）から見た際の左側と右側を結ぶ水平方向を左右方向と称する。
【００２０】
図２及び図３に示すように、外窓１は、開口部Ｐに設けられ四角形枠状に形成された枠体１０と、枠体１０に対して左右方向にスライド可能に設けられた外障子２０Ａ、内障子２０Ｂ及び網戸３０と、を有している。外窓１は、いわゆる引違いサッシである。
【００２１】
枠体１０は、左右方向に延在する上枠１１及び下枠１２と、上枠１１の両端部と下枠１２の両端部とをそれぞれ連結し上下方向に延在する縦枠１３と、を有している。本実施形態では、枠体１０は、アルミ製の押出成形部材で構成されている。
【００２２】
外障子２０Ａは枠体１０の屋外側に設けられ、内障子２０Ｂは枠体１０の屋内側に設けられている。外障子２０Ａ及び内障子２０Ｂが閉じた状態で、外障子２０Ａ及び内障子２０Ｂが枠体１０内を閉塞するように配置されている。外障子２０Ａ及び内障子２０Ｂは、それぞれ四方枠状に形成された框体２１と、框体２１内に納められたガラス２９と、を有している。
【００２３】
框体２１は、左右方向に延在する上框２２及び下框２３と、上框２２の両端部と下框２３の両端部とをそれぞれ連結し上下方向に延在する戸先框２４及び召合せ框２５と、を有している。本実施形態では、框体２１は、アルミ製の押出成形部材で構成されている。
【００２４】
各框２２，２３，２４，２５においてガラス２９側を向く各端面（内周面）には、外方に向かって凹むガラス保持溝２７が形成されている。ガラス保持溝２７内には、ガラス２９の周縁部が嵌め込まれている。
【００２５】
外障子２０Ａと内障子２０Ｂとは、互いの召合せ框２５に設けられたクレセント錠（不図示）をロックすることによりスライド移動がロックされ、クレセント錠を解除することによりスライド移動が可能となるように構成されている。
【００２６】
図２に示すように、網戸３０は、四方枠状に形成された網戸框体３１と、網戸框体３１内に設けられた網戸本体３９とを有している。網戸框体３１は、左右方向に延在する網戸上框３２及び網戸下框３３と、網戸上框３２の両端部と網戸下框３３の両端部とをそれぞれ連結し上下方向に延在する網戸縦框（不図示）と、を有している。
【００２７】
図１に示すように、内窓４は、開口部Ｐに設けられ四角形枠状に形成された枠体４０と、枠体４０に対して左右方向にスライド可能に設けられた外障子５０Ａ及び内障子５０Ｂと、を有している。内窓４は、いわゆる引違いサッシである。
【００２８】
枠体４０は、左右方向に延在する上枠４１及び下枠４２と、上枠４１の両端部と下枠４２の両端部とをそれぞれ連結し上下方向に延在する縦枠４３と、を有している。本実施形態では、枠体４０は、合成樹脂製の押出成形部材で構成されている。
【００２９】
外障子５０Ａは枠体４０の屋外側に設けられ、内障子５０Ｂは枠体４０の屋内側に設けられている。外障子５０Ａ及び内障子５０Ｂが閉じた状態で、外障子５０Ａ及び内障子５０Ｂが枠体４０内を閉塞するように配置されている。外障子５０Ａ及び内障子５０Ｂは、それぞれ四方枠状に形成された框体５１と、框体５１内に納められたガラス５９と、を有している。
【００３０】
外障子５０Ａの框体５１は、左右方向に延在する上框５２及び下框５３と、上框５２の両端部と下框５３の両端部とをそれぞれ連結し上下方向に延在する戸先框５４及び召合せ框５５Ａ（図３参照。以下同じ。）と、を有している。
【００３１】
内障子５０Ｂの框体５１は、左右方向に延在する上框５２及び下框５３と、上框５２の両端部と下框５３の両端部とをそれぞれ連結し上下方向に延在する戸先框５４及び召合せ框５５Ｂと、を有している。本実施形態では、外障子５０Ａ及び内障子５０Ｂの框体５１は、合成樹脂製の押出成形部材で構成されている。
【００３２】
図２及び図３に示すように、各框５２，５３，５４，５５Ａ，５５Ｂにおいてガラス５９側を向く各端面（内周面）には、外方に向かって凹むガラス保持溝５７が形成されている。ガラス保持溝５７内には、ガラス５９の周縁部が嵌め込まれている。
【００３３】
外障子５０Ａ及び内障子５０Ｂには、互いのスライド移動をロック可能なクレセント錠等の施錠装置が設けられていない。
【００３４】
次に、各部の構成について詳細に説明する。
まず、外窓１の上枠１１について説明する。
図４は、図２のＣ部拡大図である。
図４に示すように、上枠１１は、上枠板部１１１と、上枠板部１１１から下方に延びる網戸突出枠壁部１１２、屋外側突出枠壁部１１３、屋内側突出枠壁部１１４及び下向き枠壁部１１５と、を有している。網戸突出枠壁部１１２、屋外側突出枠壁部１１３、屋内側突出枠壁部１１４、下向き枠壁部１１５は、この順に屋外側から屋内側に向かって配置されている。
【００３５】
上枠板部１１１は、平板状に形成され、板厚方向を上下方向に向けて配置されている。上枠板部１１１は、建築物の躯体Ｑに螺子等で固定されている。
【００３６】
網戸突出枠壁部１１２、屋外側突出枠壁部１１３、屋内側突出枠壁部１１４及び下向き枠壁部１１５は、平板状に形成され、板厚方向を屋内外方向に向けて配置されている。
【００３７】
下向き枠壁部１１５の下端部には、屋内側に向けて延びる取付壁部１１６が設けられている。取付壁部１１６は、平板状に形成され、板厚方向を上下方向に向けて配置されている。取付壁部１１６は、開口部Ｐの上端部に設けられた上額縁Ｒの下面に螺子等で固定されている。
【００３８】
次に、外窓１の外障子２０Ａの上框２２について説明する。
上框２２は、屋外側に配置される上外板部２２１と、屋内側に配置される上内板部２２２と、上外板部２２１と上内板部２２２とを連結する上連結板部２２３と、を有している。
【００３９】
上外板部２２１及び上内板部２２２は、平板状に形成され、板厚方向を屋内外方向に向けて配置されている。
【００４０】
上連結板部２２３は、上外板部２２１の上下方向の中間と上内板部２２２の上下方向の中間とを連結している。
【００４１】
上外板部２２１の上部には、屋内側に向かって延びる一対の延出壁部２２６，２２７が設けられている。一対の延出壁部２２６，２２７は、上下方向に間隔を有して配置されている。延出壁部２２６は、延出壁部２２７の上方に配置されている。
【００４２】
延出壁部２２６の屋内側の端部には、下方に延びる下向き係止片２２６ａが設けられている。延出壁部２２７の屋内側の端部には、上方に延びる上向き係止片２２７ａが設けられている。
【００４３】
上外板部２２１の上端部には、気密材２２９が設けられている。気密材２２９は、上外板部２２１及び延出壁部２２６，２２７で囲まれた空間内に設けられる固定部２２９ａと、固定部２２９ａから屋内側に延びる気密片２２９ｂと、を有している。気密片２２９ｂの屋内側の端部は、上枠１１の屋外側突出枠壁部１１３の屋外側の面に当接している。上内板部２２２には、気密材が設けられていない。
【００４４】
外窓１の内障子２０Ｂの上框２２の構成は、外障子２０Ａの上框２２の構成と同様であり、同様に構成については同一の符号を付して説明を省略する。外窓１の内障子２０Ｂにも、気密材２２９が設けられている。内障子２０Ｂに設けられた気密片２２９ｂの屋内側の端部は、上枠１１の屋内側突出枠壁部１１４の屋外側の面に当接している。内障子２０Ｂの上内板部２２２には、気密材が設けられていない。
【００４５】
次に、外窓１の外障子２０Ａの戸先框２４（図３参照。以下同じ。）及び召合せ框２５（図３参照。以下同じ。）に設けられた振れ止め部材２２４について説明する。
【００４６】
図３に示すように、戸先框２４及び召合せ框２５には、それぞれ内部に上下方向全体にわたって框空間部Ｔ１が形成されている。框空間部Ｔ１の上端部には、それぞれ振れ止め部材２２４（図４参照）が挿入配置されている。
【００４７】
図４に示すように、各振れ止め部材２２４は、框空間部Ｔ１（図３参照。以下同じ。）内で屋外側に配置された屋外側振れ止め部２２４ａと、框空間部Ｔ１内で屋内側に配置された屋内側振れ止め部２２４ｃと、屋外側振れ止め部２２４ａの下端部と屋内側振れ止め部２２４ｃの下端部とを連結する下部振れ止め部２２４ｂと、を有している。屋外側振れ止め部２２４ａ、屋内側振れ止め部２２４ｃ及び下部振れ止め部２２４ｂは、一体として形成されている。屋外側振れ止め部２２４ａと屋内側振れ止め部２２４ｃとの間に、上枠１１の屋外側突出枠壁部１１３が配置されている。屋外側振れ止め部２２４ａと屋内側振れ止め部２２４ｃとで屋外側突出枠壁部１１３を屋内外方向に挟み込むことで、外障子２０Ａの屋内外方向の移動が規制されている。
【００４８】
次に、外窓１の内障子２０Ｂの戸先框２４及び召合せ框２５に設けられた振れ止め部材２２５について説明する。
【００４９】
各振れ止め部材２２５は、框空間部Ｔ１内で屋外側に配置された屋外側振れ止め部２２５ａと、框空間部Ｔ１内で屋内側に配置された屋内側振れ止め部２２５ｃと、屋外側振れ止め部２２５ａの下端部と屋内側振れ止め部２２５ｃの下端部とを連結する下部振れ止め部（不図示）と、を有している。屋外側振れ止め部２２５ａ、屋内側振れ止め部２２５ｃ及び下部振れ止め部は、一体として形成されている。屋外側振れ止め部２２５ａと屋内側振れ止め部２２５ｃとの間に、上枠１１の屋内側突出枠壁部１１４が配置されている。屋外側振れ止め部２２５ａと屋内側振れ止め部２２５ｃとで屋内側突出枠壁部１１４を屋内外方向に挟み込むことで、内障子２０Ｂの屋内外方向の移動が規制されている。
【００５０】
次に、内窓４の上枠４１について説明する。
上枠４１は、上枠板部４１１と、上枠板部４１１から下方に延びる屋外側突出部４１２、屋内側突出部４２２及び下向き枠壁部４２９と、を有している。屋外側突出部４１２、屋内側突出部４２２、下向き枠壁部４２９は、この順に屋外側から屋内側に向かって配置されている。
【００５１】
上枠板部４１１は、平板状に形成され、板厚方向を上下方向に向けて配置されている。上枠板部４１１は、上額縁Ｒの下面に螺子等で固定されている。
【００５２】
屋外側突出部４１２は、上枠板部４１１から下方に延び、屋内外方向に間隔を有して配置された一対の屋外側突出枠壁部４１３，４１４と、一対の屋外側突出枠壁部４１３，４１４の下端部どうしを連結する屋外側連結枠壁部４１５と、を有している。屋外側突出枠壁部４１３は、屋外側突出枠壁部４１４よりも屋外側に配置されている。
【００５３】
屋外側突出枠壁部４１４の屋外側の面には、外れ止め金具（枠係合部）４１６が取り付けられている。外れ止め金具４１６は、内窓４の外障子５０Ａ及び内障子５０Ｂを閉じた状態で、外障子５０Ａの召合せ框５５Ａ（図３参照）が配置される直上の位置に設けられている。換言すると、外れ止め金具４１６は、上枠４１の左右方向の略中央に設けられている。
【００５４】
外れ止め金具４１６は、取付金具部４１７と、係合金具部４１８と、を有している。取付金具部４１７は、平板状に形成され、板厚方向を屋内外方向に向けて配置されている。取付金具部４１７は、屋外側突出枠壁部４１４の屋外側の面に取り付けられている。
【００５５】
係合金具部４１８は、取付金具部４１７の下端部から屋内側に延びている。係合金具部４１８は、平板状に形成され、板厚方向を上下方向に向けて配置されている。
【００５６】
屋外側突出枠壁部４１４の下部には、屋内外方向に貫通する挿通孔（不図示）が形成されている。係合金具部４１８は、取付金具部４１７の下端部から屋内側に延び、先端部側が挿通孔から屋内側に突出している。
【００５７】
屋内側突出部４２２は、上枠板部４１１から下方に延び、屋内外方向に間隔を有して配置された一対の屋内側突出枠壁部４２３，４２４と、一対の屋内側突出枠壁部４２３，４２４の下端部どうしを連結する屋内側連結枠壁部４２５と、を有している。屋内側突出枠壁部４２３は、屋内側突出枠壁部４２４よりも屋外側に配置されている。
【００５８】
下向き枠壁部４２９は、平板状に形成され、板厚方向を屋内外方向に向けて配置されている。
【００５９】
次に、内窓４の外障子５０Ａの上框５２について説明する。
上框５２は、屋外側に配置される上外板部５２１と、屋内側に配置される上内板部５２２と、上外板部５２１と上内板部５２２とを連結する上連結板部５２３と、を有している。
【００６０】
上外板部５２１及び上内板部５２２は、平板状に形成され、板厚方向を屋内外方向に向けて配置されている。
【００６１】
上連結板部５２３は、平板状に形成され、板厚方向を上下方向に向けて配置されている。上連結板部５２３は、上外板部５２１の上下方向の中間と上内板部５２２の上下方向の中間とを連結している。
【００６２】
上外板部５２１の上端部には、屋内側に向かって延びる延出壁部５２６が設けられている。延出壁部５２６の屋内側の端部には、下方に向かって延びる取付壁部５２７が設けられている。
【００６３】
取付壁部５２７の屋内側の面には、気密材５２９が設けられている。気密材５２９は、取付壁部５２７に固定される固定部５２９ａと、固定部５２９ａの下端部から屋内側に向かうにしたがって次第に上方に向かって延びる気密片５２９ｂと、を有している。気密片５２９ｂの屋内側の端部（上端部）は、上枠４１の屋外側突出枠壁部４１３の屋外側の面に当接している。
【００６４】
上内板部５２２の上端部には、屋外側に向かって延びる延出壁部５３６が設けられている。延出壁部５３６の屋外側の端部には、下方に向かって延びる取付壁部５３７が設けられている。
【００６５】
取付壁部５３７の屋外側の面には、気密材５３９が設けられている。気密材５３９は、取付壁部５３７に固定される固定部５３９ａと、固定部５３９ａの下端部から屋外側に向かうにしたがって次第に上方に向かって延びる気密片５３９ｂと、を有している。気密片５３９ｂの屋外側の端部（上端部）は、上枠４１の屋外側突出枠壁部４１４の屋内側の面に当接している。
【００６６】
内窓４の内障子５０Ｂの上框５２の構成は、外障子５０Ａの上框５２の構成と同様であり、同様に構成については同一の符号を付して説明を省略する。内窓４の内障子５０Ｂにも、気密材５２９，５３９が設けられている。気密材５２９の気密片５２９ｂの屋内側の端部（上端部）は、上枠４１の屋内側突出枠壁部４２３の屋外側の面に当接している。気密材５３９の気密片５３９ｂの屋外側の端部（上端部）は、上枠４１の屋内側突出枠壁部４２４の屋内側の面に当接している。
【００６７】
次に、内窓４の外障子５０Ａの召合せ框５５Ａについて説明する。
図５は、図３のＤ部拡大図である。
図５に示すように、外障子５０Ａの召合せ框５５Ａは、屋外側に配置される召合せ外板部５５１と、屋内側に配置される召合せ内板部５５２と、召合せ外板部５５１と召合せ内板部５５２とを連結する召合せ連結部５５６及び召合せ連結板部５６３と、を有している。召合せ連結部５５６は、召合せ連結板部５６３よりもガラス５９側に配置されている。
【００６８】
召合せ外板部５５１及び召合せ内板部５５２は、平板状に形成され、板厚方向を屋内外方向に向けて配置されている。
【００６９】
召合せ連結部５５６は、第１見込み板部５５７と、第１見付け板部５５８と、第２見込み板部５５９と、第２見付け板部５６０と、第３見込み板部５６１と、を有している。
【００７０】
第１見込み板部５５７は、召合せ外板部５５１におけるガラス５９側の端部近傍から屋内側に延びている。第１見込み板部５５７は、平板状に形成され、板厚方向を左右方向に向けて配置されている。
【００７１】
第１見付け板部５５８は、第１見込み板部５５７の屋内側の端部近傍からガラス５９から離間する方向に延びている。第１見付け板部５５８は、平板状に形成され、板厚方向を屋内外方向に向けて配置されている。
【００７２】
第２見込み板部５５９は、第１見付け板部５５８におけるガラス５９側と反対側の端部から屋内側に延びている。第２見込み板部５５９は、平板状に形成され、板厚方向を左右方向に向けて配置されている。
【００７３】
第２見付け板部５６０は、第２見込み板部５５９の屋内側の端部からガラス５９に近接する方向に延びている。第２見付け板部５６０は、平板状に形成され、板厚方向を屋内外方向に向けて配置されている。
【００７４】
第３見込み板部５６１は、第２見付け板部５６０におけるガラス５９側の端部から屋内外方向に延びている。第３見込み板部５６１は、平板状に形成され、板厚方向を左右方向に向けて配置されている。第３見込み板部５６１の屋内側の端部は、召合せ内板部５５２に接続されている。
【００７５】
第１見付け板部５５８、第２見込み板部５５９及び第２見付け板部５６０は、ガラス５９側に開口するガラス保持溝５７を形成している。
【００７６】
召合せ連結板部５６３は、平板状に形成され、板厚方向を左右方向に向けて配置されている。召合せ連結板部５６３は、召合せ外板部５５１におけるガラス５９側と反対側の端部と召合せ内板部５５２におけるガラス５９側と反対側の端部とを連結している。
【００７７】
召合せ内板部５５２におけるガラス５９側の端部には、屋内側に延びる召合せ突出片５５３が設けられている。召合せ突出片５５３の屋内側の端部には、ガラス５９から離間する方向に延びる召合せ延出片５５４が設けられている。
【００７８】
召合せ連結板部５６３の屋内側の端部は、召合せ内板部５５２よりも屋内側に突出している。召合せ連結板部５６３の屋内側の端部には、ガラス５９に近接する方向に延びる召合せ延出板部５６４が設けられている。召合せ延出板部５６４は、平板状に形成され、板厚方向を屋内外方向に向けて配置されている。
【００７９】
召合せ延出板部５６４は、召合せ内板部５５２と召合せ連結片５６５で連結されている。召合せ連結片５６５は、屋内外方向に沿って配置されている。
【００８０】
召合せ延出板部５６４の屋内側の面には、気密材５６９が設けられている。気密材５６９は、召合せ延出板部５６４の屋内側の面に固定される固定部５６９ａと、固定部５６９ａから屋内側に延びる第１気密片５６９ｂ及び第２気密片５６９ｃと、を有している。第１気密片５６９ｂは、第２気密片５６９ｃよりもガラス５９側に配置されている。
【００８１】
召合せ外板部５５１と、召合せ内板部５５２と、召合せ連結部５５６と、召合せ連結板部５６３とにより、召合せホロー部Ｓ１１が形成されている。召合せホロー部Ｓ１１の内部には補強するための金属製の芯材が設けられていない。
【００８２】
次に、内窓４の内障子５０Ｂの召合せ框５５Ｂについて説明する。
召合せ框５５Ｂは、屋外側に配置される召合せ外板部５７１と、屋内側に配置される召合せ内板部５７２と、召合せ外板部５７１と召合せ内板部５７２とを連結する召合せ連結部５７６及び召合せ連結板部５８５と、を有している。召合せ連結部５７６は、召合せ連結板部５８５よりもガラス５９側に配置されている。
【００８３】
召合せ外板部５７１及び召合せ内板部５７２は、平板状に形成され、板厚方向を屋内外方向に向けて配置されている。
【００８４】
召合せ連結部５７６は、第１見込み板部５７７と、第１見付け板部５７８と、第２見込み板部５７９と、第２見付け板部５８０と、第３見込み板部５８１と、第３見付け板部５８２と、第４見込み板部５８３と、を有している。
【００８５】
第１見込み板部５７７は、召合せ外板部５７１におけるガラス５９側の端部近傍から屋内側に延びている。第１見込み板部５７７は、平板状に形成され、板厚方向を左右方向に向けて配置されている。
【００８６】
第１見付け板部５７８は、第１見込み板部５７７の屋内側の端部近傍からガラス５９から離間する方向に延びている。第１見付け板部５７８は、平板状に形成され、板厚方向を屋内外方向に向けて配置されている。
【００８７】
第２見込み板部５７９は、第１見付け板部５７８におけるガラス５９側と反対側の端部から屋内側に延びている。第２見込み板部５７９は、平板状に形成され、板厚方向を左右方向に向けて配置されている。
【００８８】
第２見付け板部５８０は、第２見込み板部５７９の屋内側の端部からガラス５９に近接する方向に延びている。第２見付け板部５８０は、平板状に形成され、板厚方向を屋内外方向に向けて配置されている。
【００８９】
第３見込み板部５８１は、第２見付け板部５８０におけるガラス５９側の端部から屋内外方向に延びている。第３見込み板部５８１は、平板状に形成され、板厚方向を左右方向に向けて配置されている。
【００９０】
第３見付け板部５８２は、第３見込み板部５８１の屋内側の端部から左右方向に延びている。第３見付け板部５８２は、平板状に形成され、板厚方向を屋内外方向に向けて配置されている。
【００９１】
第４見込み板部５８３は、第３見付け板部５８２におけるガラス５９側の端部から屋内側に延びている。第４見込み板部５８３は、平板状に形成され、板厚方向を左右方向に向けて配置されている。第４見込み板部５８３の屋内側の端部は、召合せ内板部５７２に接続されている。
【００９２】
第１見付け板部５７８、第２見込み板部５７９及び第２見付け板部５８０は、ガラス５９側に開口するガラス保持溝５７を形成している。
【００９３】
召合せ外板部５７１の左右方向の両端部には、屋外側に延びる召合せ突出片５７３ａ，５７４ａがそれぞれ設けられている。召合せ突出片５７３ａは、召合せ突出片５７４ａよりもガラス５９側に配置されている。
【００９４】
各召合せ突出片５７３ａ，５７４ａの屋外側の端部には、対向する召合せ突出片５７４ａ，５７３ａに向かって延びる召合せ延出片５７３ｂ，５７４ｂが設けられている。
【００９５】
召合せ連結板部５８５は、平板状に形成され、板厚方向を左右方向に向けて配置されている。召合せ連結板部５８５は、召合せ外板部５７１におけるガラス５９側と反対側の端部と召合せ内板部５７２におけるガラス５９側と反対側の端部とを連結している。
【００９６】
召合せ延出片５７４ｂの屋外側の面に、気密材５８９が設けられている。気密材５８９は、召合せ延出片５７４ｂの屋外側の面に固定される固定部５８９ａと、固定部５８９ａから屋内側に延びる第１気密片５８９ｂ及び第２気密片５８９ｃと、を有している。第１気密片５８９ｂは、第２気密片５８９ｃよりもガラス５９側に配置されている。第１気密片５８９ｂの先端部は、外障子５０Ａの召合せ延出片５５４に当接している。第２気密片５８９ｃの先端部は、外障子５０Ａの召合せ突出片５５３に当接している。
【００９７】
一方、外障子５０Ａに設けられた気密材５６９の第１気密片５６９ｂの先端部は、内障子５０Ｂの召合せ延出片５７３ｂに当接している。気密材５６９の第２気密片５６９ｃの先端部は、内障子５０Ｂの召合せ突出片５７３ａに当接している。
【００９８】
召合せ外板部５７１と、召合せ内板部５７２と、召合せ連結部５７６と、召合せ連結板部５８５とにより、召合せホロー部Ｓ１２が形成されている。
【００９９】
召合せホロー部Ｓ１２の内部には、召合せ外板部５７１、召合せ内板部５７２、召合せ連結部５７６及び召合せ連結板部５８５に沿って、金属製の召合せ框芯材Ｔ１２が設けられている。
【０１００】
外障子５０Ａの召合せ框５５Ａと内障子５０Ｂの召合せ框５５Ｂとを比較すると、合成樹脂の肉厚及び上下方向の長さは略同一である。また、外障子５０Ａの召合せ框５５Ａの左右方向の長さＷ１は、内障子５０Ｂの召合せ框５５Ｂの左右方向の長さＷ２と略同一である。外障子５０Ａの召合せ框５５Ａの屋内外方向の長さＤ１は、内障子５０Ｂの召合せ框５５Ｂの屋内外方向の長さＤ２よりも短い。つまり、外障子５０Ａの召合せ框５５Ａの水平断面積は、内障子５０Ｂの召合せ框５５Ｂの水平断面積よりも小さい。
【０１０１】
次に、内窓４に設けられた気密材について説明する。
上記に示す気密材５２９，５３９，５６９，５８９の他に、図２に示すように、外障子５０Ａの下框５３の下端部には、下枠４２から上方に突出するレール部４４２を挟んで屋外側に気密材５４９が設けられ、屋内側に気密材５５１が設けられている。また、内障子５０Ｂの下框５３の下端部には、下枠４２から上方に突出するレール部４４３を挟んで屋外側に気密材５４９が設けられ、屋内側に気密材５５１が設けられている。気密材５４９，５５１により、外障子５０Ａの下框５３の下端部とレール部４４２との間は閉塞されている。気密材５４９，５５１により、内障子５０Ｂの下框５３の下端部とレール部４４３との間は閉塞されている。
【０１０２】
また、図３に示すように、外障子５０Ａの戸先框５４の左右方向の端部には、縦枠４３との間に気密材５５２が設けられている。気密材５５２により、外障子５０Ａが閉じた状態で、戸先框５４と縦枠４３との間は閉塞されている。
【０１０３】
内障子５０Ｂの戸先框５４の左右方向の端部には、縦枠４３との間に気密材５５３が設けられている。気密材５５３により、内障子５０Ｂが閉じた状態で、戸先框５４と縦枠４３との間は閉塞されている。
【０１０４】
次に、上記の二重サッシ１００において、負圧が生じた際の空気の流れや圧力について説明する。
図６は、二重サッシ１００において、負圧が生じた際の内窓４の外障子５０Ａ及び内障子５０Ｂの状態を示す模式図である。図７は、二重サッシ１００において、負圧が生じた際の内窓４の外障子５０Ａの召合せ框５５Ａ及び内障子５０Ｂの召合せ框５５Ｂの状態を示す図であり、図５に相当する図である。図８は、二重サッシ１００において、負圧が生じた際の内窓４の状態を示す模式的な縦断面図である。
上述のとおり、内窓４では、外障子５０Ａの召合せ框５５Ａの水平断面積は、内障子５０Ｂの召合せ框５５Ｂの水平断面積よりも小さい。また、外障子５０Ａの召合せ框５５Ａには金属製の芯材が設けられていないが、内障子５０Ｂの召合せ框５５Ｂには金属製の召合せ框芯材Ｔ１２が設けられている。このため、外障子５０Ａの召合せ框５５Ａの強度は、内障子５０Ｂの召合せ框５５Ｂの強度よりも小さい。よって、各障子５０Ａ，５０Ｂが閉塞された閉塞状態で、負圧が生じると、図６に示すように、外障子５０Ａが内障子５０Ｂよりも大きく屋外側に変位する（撓む）。これにより、図７に示すように、外障子５０Ａと内障子５０Ｂとの間（以下、障子間層Ｍ１と称する）、特に互いの召合せ框５５Ａ，５５Ｂ間には隙間ＳＡが生じる。隙間ＳＡは、上下方向の両端部では小さく、上下方向の中央側に近づくにしたがって次第に大きく形成されている（図６）。
【０１０５】
図８に示すように、外障子５０Ａが大きく屋外側に変位すると、外障子５０Ａの上框５２の取付壁部５３７が上枠４１に設けられた外れ止め金具４１６の係合金具部４１８の上部に係合される。よって、外障子５０Ａが、上枠４１から外れて、枠体４０から脱落することが抑制される。
【０１０６】
図９は、二重サッシ１００の外窓１において、負圧が生じた際の挙動を示す図である。
また、図９に示すように、外窓１では、外障子２０Ａ及び内障子２０Ｂが負圧を受けて屋外側に変位すると、外障子２０Ａの振れ止め部材２２４の屋内側振れ止め部２２４ｃが上枠１１の屋外側突出枠壁部１１３の屋内側の面に当接する。また、内障子２０Ｂの振れ止め部材２２５の屋内側振れ止め部２２５ｃが上枠１１の屋内側突出枠壁部１１４の屋内側の面に当接する。外障子２０Ａ及び内障子２０Ｂの上内板部２２２と屋外側突出枠壁部１１３及び屋内側突出枠壁部１１４との間には、それぞれ隙間Ｓ１が生じている。
【０１０７】
また、外障子２０Ａ及び内障子２０Ｂの気密材２２９と屋外側突出枠壁部１１３及び屋内側突出枠壁部１１４との間には、それぞれ形成される隙間Ｓ２が生じている。
【０１０８】
図９では外障子２０Ａ及び内障子２０Ｂの上外板部２２１、上内板部２２２及び上連結板部２２３の左右方向の両端部側の挙動を二点鎖線で示し、上外板部２２１、上内板部２２２及び上連結板部２２３の左右方向の中央側の挙動を実線で示している。外障子２０Ａ及び内障子２０Ｂの左右方向の両端部側では、振れ止め部材２２４の屋内側振れ止め部２２４ｃ及び振れ止め部材２２５の屋内側振れ止め部２２５ｃがそれぞれ屋外側突出枠壁部１１３及び屋内側突出枠壁部１１４に当接して、外障子２０Ａ及び内障子２０Ｂの変位が抑制されている。外障子２０Ａ及び内障子２０Ｂの左右方向の中央側では、左右方向の両端部側よりも、屋外側に撓むように変位している。これにより、隙間Ｓ２は、左右方向の中央側で大きくなっている。
【０１０９】
上記のように内窓４を通過してきた空気は、内窓４と外窓１との間から、外窓１の内障子２０Ｂの上框２２の上内板部２２２と屋内側突出枠壁部１１４との間の隙間Ｓ１を通過して、上框２２の気密材２２９と上枠１１の屋内側突出枠壁部１１４との間の隙間Ｓ２を通過する。さらに、空気は、外障子２０Ａの上框２２の上内板部２２２と屋外側突出枠壁部１１３との間の隙間Ｓ１を通過して、上框２２の気密材２２９と上枠１１の屋外側突出枠壁部１１３との間の隙間Ｓ２を通過する。
【０１１０】
このように、内窓４から外窓１まで、連通して隙間（空気の流路）が生じるため、内窓４の屋内側と屋外側との圧力差が低減される。
【０１１１】
このように構成された二重サッシ１００では、外窓１及び内窓４が閉塞した閉塞状態で、負圧が生じた際に、内窓４の外障子５０Ａが内障子５０Ｂよりも屋外側に大きく変位可能である。これにより、内窓４において、外障子５０Ａと内障子５０Ｂとの間（障子間層Ｍ１）には、屋内外方向に隙間ＳＡが生じる。また、外窓１には、負圧が生じた際に、空気を屋内側から屋外側に流通可能な隙間Ｓ１，Ｓ２が形成されている。よって、負圧が生じた際に、内窓４の障子間層Ｍ１の隙間ＳＡから外窓１に形成された隙間Ｓ１，Ｓ２まで連通した空気の流路ができるため、内窓４の屋内側と屋外側との圧力差（内窓４に作用する圧力）を低減させることができ、内窓４の外障子５０Ａ及び内障子５０Ｂが枠体４０から外れることが抑制される。
【０１１２】
また、内窓４において、外障子５０Ａの召合せ框５５Ａの水平断面積は、内障子５０Ｂの召合せ框５５Ｂの水平断面積よりも小さい。外障子５０Ａの召合せ框５５Ａ及び内障子５０Ｂの召合せ框５５Ｂはともに合成樹脂製であるため、外障子５０Ａの召合せ框５５Ａの強度は、内障子５０Ｂの召合せ框５５Ｂよりも強度よりも小さい。よって、負圧が生じた際に、外障子５０Ａの召合せ框５５Ａの方が内障子５０Ｂの召合せ框５５Ｂよりも屋外側に大きく撓むため、内障子５０Ｂの障子間層Ｍ１には屋内外方向に隙間ＳＡが生じる。したがって、負圧が生じた際に、内障子５０Ｂの障子間層Ｍ１の隙間ＳＡから外窓１に形成された隙間Ｓ１，Ｓ２まで連通した空気の流路ができるため、内窓４の屋内側と屋外側との圧力差（内窓４に作用する圧力）を低減させることができ、内窓４の外障子５０Ａ及び内障子５０Ｂが枠体４０から外れることが抑制される。
【０１１３】
また、内窓４には、外障子５０Ａと内障子５０Ｂとを施錠可能なクレセント錠等の施錠装置が設けられていないため、外障子５０Ａは内障子５０Ｂに拘束されることがなく、屋外側に変位が可能である。これにより、負圧が生じた際に、外障子５０Ａと内障子５０Ｂとの間（障子間層Ｍ１）に隙間ＳＡが確実に形成されるため、内窓４の屋内側と屋外側との圧力差を低減させることができ、内窓４の外障子５０Ａと内障子５０Ｂが枠体４０から外れることが確実に抑制される。
【０１１４】
また、内窓４の上枠４１には閉塞状態で外障子５０Ａの召合せ框５５Ａが配置される直上の位置に、外障子５０Ａと係合可能な外れ止め金具４１６が設けられている。よって、外障子５０Ａの召合せ框５５Ａが屋外側に大きく変位しようとすると、外障子５０Ａは上枠４１の外れ止め金具４１６に係合して、外障子５０Ａが屋外側へ移動することが規制される。したがって、外障子５０Ａが枠体４０から外れることがさらに抑制される。
【０１１５】
（変形例）
次に、本発明の第一実施形態の変形例について、主に図１０を用いて説明する。
なお、以下の変形例、実施形態の説明において、前述した部材と同一の部材には同一の符号を付して、その説明を省略する。
図１０は、本発明の第一実施形態の変形例に係る二重サッシにおいて、図５に相当する図である。
図１０に示すように、本変形例では、内窓４Ａの外障子５０Ｃの召合せ框５５Ａ及び内障子５０Ｄの召合せ框５５Ｂに、それぞれ第１係合金具（第１係合突起）５９０、第２係合金具（第２係合突起）５９５が設けられている。
【０１１６】
第１係合金具５９０は、召合せ框５５Ａの上下端部または上下端部近傍にのみ設けられている。第１係合金具５９０は、第１固定金具部５９１と、第１突出金具部（第１突出部）５９２と、第１係合金具部（第１係合部）５９３と、を有している。
【０１１７】
第１固定金具部５９１は、平板状に形成され、板厚方向を屋内外方向に向けて配置されている。第１固定金具部５９１は、召合せ内板部５５２の屋内側の面に固定されている。
【０１１８】
第１突出金具部５９２は、第１固定金具部５９１におけるガラス５９側と反対側の端部から屋内側に延びている。第１突出金具部５９２は、平板状に形成され、板厚方向を左右方向に向けて配置されている。
【０１１９】
第１係合金具部５９３は、第１突出金具部５９２の屋内側の端部からガラス５９に近接する方向に延びている。第１係合金具部５９３は、平板状に形成され、板厚方向を屋内外方向に向けて配置されている。
【０１２０】
第２係合金具５９５は、召合せ框５５Ｂの上下端部または上下端部近傍にのみ設けられている。第２係合金具５９５は、第２固定金具部５９６と、第２突出金具部（第２突出部）５９７と、第２係合金具部（第２係合部）５９８と、を有している。
【０１２１】
第２固定金具部５９６は、平板状に形成され、板厚方向を屋内外方向に向けて配置されている。第２固定金具部５９６は、召合せ外板部５７１の屋外側の面に固定されている。
【０１２２】
第２突出金具部５９７は、第２固定金具部５９６におけるガラス５９側と反対側の端部から屋外側に延びている。第２突出金具部５９７は、平板状に形成され、板厚方向を左右方向に向けて配置されている。
【０１２３】
第２係合金具部５９８は、第２突出金具部５９７の屋外側の端部からガラス５９に近接する方向に延びている。第２係合金具部５９８は、平板状に形成され、板厚方向を屋内外方向に向けて配置されている。
【０１２４】
第１係合金具部５９３と第２係合金具部５９８とは、屋内外方向に重なって配置されている。第１係合金具部５９３は、第２係合金具部５９８よりも屋内側に配置されている。換言すると、第１係合金具部５９３が第２固定金具部５９６と第２係合金具部５９８との間に配置されるとともに、第２係合金具部５９８が第１固定金具部５９１と第１係合金具部５９３との間に配置されている。
【０１２５】
このように構成された二重サッシ１００Ａでは、閉塞状態で、外障子５０Ｃの召合せ框５５Ａに設けられた第１係合金具部５９３は、内障子５０Ｄの召合せ框５５Ｂに設けられた第２係合金具部５９８と屋内外方向に重なりつつ、第２係合金具部５９８よりも屋内側に配置されている。また、第１係合金具５９０及び第２係合金具５９５は、各召合せ框５５Ａ，５５Ｂの上下端部にのみ設けられている。よって、外障子５０Ｃの召合せ框５５Ａの上下端部が屋外側に内障子よりも大きく変位すると外障子５０Ｃの第１係合金具部５９３が内障子５０Ｄの第２係合金具部５９８に係合されるため、外障子５０Ｃが枠体４０から外れることが抑制される。一方、外障子５０Ｃの召合せ框５５Ａの上下方向の中間には第１係合金具５９０及び第２係合金具５９５が設けられていないため、負圧が生じた際に、外障子５０Ｃと内障子５０Ｄとの間（障子間層Ｍ１）において、上下方向の中間には隙間ＳＡが確実に形成されるため、内窓４Ａの屋内側と屋外側との圧力差を低減させることができ、内窓４Ａの障子が枠体４０から外れることが確実に抑制される。
【０１２６】
（第二実施形態）
次に、本発明の第二実施形態について、主に図１１〜図１７を用いて説明する。
図１１は、本発明の第二実施形態に係る二重サッシの内窓の外障子の構成を示し、（ａ）は上端部の構成を模式的に示した図であり、（ｂ）は下端部の構成を模式的に示した図である。図１２は、本発明の第二実施形態に係る二重サッシの内窓の外障子の上端部の構成を模式的に示した斜視図である。図１３は、本発明の第二実施形態に係る二重サッシの内窓の外障子の上端部の構成を説明する模式的な分解斜視図である。図１４は、本発明の第二実施形態に係る二重サッシの内窓の外障子の上端部の召合せ框側の構成を説明するための図である。図１５は、本発明の第二実施形態に係る二重サッシの内窓の外障子の下端部の構成を模式的に示した斜視図である。図１６は、本発明の第二実施形態に係る二重サッシの内窓の外障子の下端部の構成を説明する模式的な分解斜視図である。図１７は、本発明の第二実施形態に係る二重サッシの内窓の外障子及び縦枠の構成を説明するための図であり、（ａ）外障子が開いている状態、（ｂ）外障子が閉じている状態、（ｃ）外障子が閉じた状態で負圧が作用した状態を示している。
図１１（ａ）に示すように、本実施形態では、内窓４Ｅの外障子５０Ｅの戸先框５４Ｅの上端部には、上部外振れ止め部６０１及び上部内振れ止め部６１１が設けられている。
【０１２７】
戸先框５４Ｅ及び召合せ框５５Ｅには、内部に上下方向全体にわたって框空間部Ｔ２（図３参照。以下同じ。）が形成されている。上部外振れ止め部６０１は、戸先框５４Ｅの框空間部Ｔ２の上端部に配置されている。上部外振れ止め部６０１の内部には、下方に凹む凹部６０２が形成されている。
【０１２８】
上部内振れ止め部６１１は、上部外振れ止め部６０１の凹部６０２内に配置されている。上部内振れ止め部６１１の屋内外方向の長さは、凹部６０２の屋内外方向の長さよりも短い。
【０１２９】
上部内振れ止め部６１１における屋内側を向く面６１２と上部外振れ止め部６０１の凹部６０２における屋外側を向く面６０３との間には、上部第一付勢部６２１が設けられている。上部内振れ止め部６１１は、上部第一付勢部６２１により屋外側に付勢され、凹部６０２内で屋外側寄りに配置されている。
【０１３０】
上部内振れ止め部６１１には、下方に凹む係合溝６１９が形成されている。係合溝６１９の上部には、屋外側に向かって突出する屋内側壁部６１３及び屋内側に向かって突出する屋外側壁部６１４が設けられている。
【０１３１】
係合溝６１９内には、上枠４１の屋外側突出部４１２が挿入配置されている。屋外側突出部４１２は、屋内側壁部６１３と屋外側壁部６１４とにより屋内外方向に挟み込まれている。なお、屋外側突出部４１２と屋内側壁部６１３との間及び屋外側突出部４１２と屋外側壁部６１４との間に、隙間が形成されていてもよい。
【０１３２】
図１２に示すように、上部外振れ止め部６０１には、摺動部６０４が設けられている。図１３に示すように、摺動部６０４は、上部外振れ止め部６０１に形成された摺動溝６０１ａ内に、左右方向に摺動可能に設けられている。
【０１３３】
摺動部６０４には、屋内外方向に貫通する貫通孔６０５が形成されている。上部内振れ止め部６１１には、屋内側（貫通孔６０５側）に突出し、貫通孔６０５に対応した形状をなす突出部６１５が形成されている。
【０１３４】
図１２に示すように、外障子５０Ｅの召合せ框５５Ｅの上端部には、上部外振れ止め部７０１及び上部内振れ止め部７１１が設けられている。上部外振れ止め部７０１は、召合せ框５５Ｅの框空間部Ｔ２の上端部に配置されている。なお、上記に示した構成と同様の構成については同一の符号を付して説明を省略する。
【０１３５】
図１４に示すように、召合せ框５５Ｅの摺動部７０４は、第二付勢部６２２により、戸先框５４Ｅ（図１２参照）側に付勢されている。戸先框５４Ｅの摺動部６０４と召合せ框５５Ｅの摺動部７０４とは、連結材６０６で連結されている。
【０１３６】
図１５に示すように、戸先框５４Ｅの下端部には、下部外振れ止め部６３１及び下部内振れ止め部６４１が設けられている。下部外振れ止め部６３１は、戸先框５４Ｅの框空間部Ｔ２の下端部に配置されている。下部外振れ止め部６３１の内部には、上方に凹む凹部６３２が形成されている。
【０１３７】
下部内振れ止め部６４１は、下部外振れ止め部６３１の凹部６３２内に配置されている。下部内振れ止め部６４１の屋内外方向の長さは、凹部６３２の屋内外方向の長さよりも短い。
【０１３８】
下部内振れ止め部６４１における屋内側を向く面６４２と下部外振れ止め部６３１の凹部６３２における屋外側を向く面６３３との間には、下部第一付勢部６２３が設けられている。下部内振れ止め部６４１は、下部第一付勢部６２３により屋外側に付勢され、凹部６３２内で屋外側寄りに配置されている。
【０１３９】
下部内振れ止め部６４１には、上方に凹む係合溝６４９が形成されている。係合溝６４９内には、下枠４２から上方に突出するレール部４２１（図１１参照。以下同じ。）が挿入配置されている。
【０１４０】
図１６に示すように、下部外振れ止め部６３１には、摺動部６３４が設けられている。摺動部６３４は、下部外振れ止め部６３１に形成された摺動溝６３１ａ内に、左右方向に摺動可能に設けられている。
【０１４１】
摺動部６３４には、屋内外方向に貫通する貫通孔（不図示。以下同じ。）が形成されている。下部内振れ止め部６４１には、屋内側（貫通孔側）に突出し、貫通孔に対応した形状をなす突出部６４５が形成されている。
【０１４２】
図１５に示すように、外障子５０Ｅの下框５３Ｅには、外戸車ケース６５１及び内戸車ケース６６１が設けられている。本実施形態では、外戸車ケース６５１及び内戸車ケース６６１は、それぞれ左右方向に間隔を有して２箇所に設けられている。外戸車ケース６５１の内部には、上方に凹む凹部６５２が形成されている。
【０１４３】
内戸車ケース６６１は、外戸車ケース６５１の凹部６５２内に配置されている。内戸車ケース６６１の屋内外方向の長さは、凹部６５２の屋内外方向の長さよりも短い。
【０１４４】
図１１（ｂ）に示すように、内戸車ケース６６１における屋内側を向く面６６２と外戸車ケース６５１の凹部６５２における屋外側を向く面６５３との間には、下部第一付勢部６２４が設けられている。内戸車ケース６６１は、下部第一付勢部６２４により屋外側に付勢され、凹部６５２内で屋外側寄りに配置されている。
【０１４５】
内戸車ケース６６１には、上方に凹む挿入溝６６９が形成されている。挿入溝６６９内には、戸車６５０が設けられている。戸車６５０は、レール部４２１上を走行可能とされている。
【０１４６】
図１６に示すように、外戸車ケース６５１には、摺動部６５４が設けられている。摺動部６５４は、外戸車ケース６５１に形成された摺動溝６５１ａ内に、左右方向に摺動可能に設けられている。
【０１４７】
摺動部６５４には、屋内外方向に貫通する貫通孔（不図示。以下同じ。）が形成されている。内戸車ケース６６１には、屋内側（貫通孔側）に突出し、貫通孔に対応した形状をなす突出部６６５が形成されている。図１５に示すように、戸先框５４Ｅの摺動部６３４と下框５３Ｅの摺動部６５４のうち戸先框５４Ｅ側に配置された摺動部６５４とは連結材６３６で連結されている。また、隣接する摺動部６５４どうしも、連結材６３６で連結されている。
【０１４８】
召合せ框５５Ｅの下端部には、下部外振れ止め部７３１及び下部内振れ止め部７４１が設けられている。下部外振れ止め部７３１は、召合せ框５５Ｅの框空間部Ｔ２の下端部に配置されている。
【０１４９】
召合せ框５５Ｅの摺動部７３４は、第二付勢部６２５により、戸先框５４Ｅ側に付勢されている。摺動部７３４と下框５３Ｅの摺動部６５４のうち召合せ框５５Ｅ側に配置された摺動部６５４とは連結材６３６で連結されている。
【０１５０】
図１７（ａ）及び図１５に示すように、外障子５０Ｅが開放された状態では、第二付勢部６２２，６２５の付勢力により、上部外振れ止め部６０１の摺動部６０４及び下部外振れ止め部６３１の摺動部６３４は、戸先框５４Ｅが対向する縦枠４３側に突出している。
【０１５１】
図１７（ｂ）に示すように、外障子５０Ｅが閉塞された状態では、上部外振れ止め部６０１の摺動部６０４は、縦枠４３に押圧されて、縦枠４３から離間する方向（以下、左右方向の一方側と称する）に摺動する。摺動部６０４の貫通孔６０５は、上部内振れ止め部６１１の突出部６１５と屋内外方向に重なった位置に配置されている。
【０１５２】
戸先框５４Ｅの摺動部６０４に連結された連結材６０６は、左右方向の一方側に変位する。連結材６０６に連結された召合せ框５５Ｅの摺動部７０４の貫通孔（不図示）は、上部内振れ止め部７１１の突出部（不図示）と屋内外方向に重なった位置に配置されている。
【０１５３】
外障子５０Ｅの下端部では、下部外振れ止め部６３１の摺動部６３４は、縦枠４３に押圧されて、縦枠４３から離間する方向（以下、左右方向の一方側と称する）に摺動する。摺動部６３４の貫通孔（不図示）は、下部内振れ止め部６４１の突出部６４５と屋内外方向に重なった位置に配置されている。
【０１５４】
戸先框５４Ｅの摺動部６３４に連結された連結材６３６は、左右方向の一方側に変位する。連結材６３６に連結された下框５３Ｅの摺動部６５４の貫通孔（不図示）は、内戸車ケース６６１の突出部６６５と屋内外方向に重なった位置に配置されている。
【０１５５】
下框５３Ｅの摺動部６５４と連結材６３６で連結された召合せ框５５Ｅの摺動部７３４も、左右方向に一方側に変位する。召合せ框５５Ｅの摺動部７３４の貫通孔（不図示）は、下部内振れ止め部７４１の突出部（不図示）と屋内外方向に重なった位置に配置されている。
【０１５６】
図１７（ｃ）に示すように、外障子５０Ｅが閉塞された状態で、負圧が作用すると、上部第一付勢部６２１が収縮して、各貫通孔に対応する突出部が嵌りこみ、外障子５０Ｅが屋外側に変位し、上部内振れ止め部６１１，７１１の屋外側に隙間Ｕ１が生じる。
【０１５７】
外障子５０Ｅの下端部においても、外障子５０Ｅが閉塞された状態で、負圧が作用すると、下部第一付勢部６２３，６２４が収縮して、各貫通孔に対応する突出部が嵌りこみ、外障子５０Ｅが屋外側に変位し、下部内振れ止め部６４１，７４１、内戸車ケース６６１の屋外側に隙間が生じる。
【０１５８】
このように構成された二重サッシ１００では、外窓１及び内窓４Ｅが閉塞した閉塞状態で、負圧が生じた際に、内窓４Ｅの外障子５０Ｅが内障子５０Ｂよりも屋外側に大きく変位可能である。これにより、内窓４Ｅにおいて、外障子５０Ｅと内障子５０Ｂとの間（障子間層Ｍ１）には、屋内外方向に隙間ＳＡが生じる。また、外窓１には、負圧が生じた際に、空気を屋内側から屋外側に流通可能な隙間Ｓ１，Ｓ２が形成されている。よって、負圧が生じた際に、内窓４Ｅの障子間層Ｍ１の隙間ＳＡから外窓１に形成された隙間Ｓ１，Ｓ２まで連通した空気の流路ができるため、内窓４Ｅの屋内側と屋外側との圧力差（内窓４Ｅに作用する圧力）を低減させることができ、内窓４Ｅの外障子５０Ｅ及び内障子５０Ｂが枠体４０から外れることが抑制される。
【０１５９】
なお、上述した実施の形態において示した各構成部材の諸形状や組み合わせ等は一例であって、本発明の主旨から逸脱しない範囲において設計要求等に基づき種々変更可能である。
【０１６０】
例えば、上記に示す実施形態では、内窓４の外障子５０Ａの召合せ框５５Ａの水平断面積が内障子５０Ｂの召合せ框５５Ｂの水平断面積よりも小さいが、本発明はこれに限られない。例えば、外障子５０Ａの召合せ框が合成樹脂製であり、内障子５０Ｂの召合せ框がアルミ製であるように、外障子５０Ａの召合せ框の材料強度が内障子５０Ｂの召合せ框の材料強度よりも小さくなるようにして、外障子５０Ａが内障子５０Ｂよりも屋外側に大きく変位可能としてもよい。
【０１６１】
また、上記に示す実施形態では、内窓４の上枠４１には外れ止め金具４１６が設けられているが、本発明はこれに限られず、外れ止め金具４１６が設けられていなくてもよい。
【０１６２】
また、上記に示す実施形態では、外窓１は引違いサッシであるが、本発明はこれに限られない。外窓は、負圧が生じた際に、空気を屋外側に流通可能となればよく、片引戸や上げ下げ窓であってもよい。
【０１６３】
また、上記に示す実施形態では、外れ止め金具４１６は上枠４１に設けられているが、本発明はこれに限られない。移動規制部が、召合せ框に設けられ、閉塞状態で外障子の召合せ框が配置される直上となる位置に設けられていてもよい。
【０１６４】
また、上記に示す実施形態では、外窓１及び内窓４のガラス２９，５９は、それぞれ単層の板ガラスであるが、本発明はこれに限られず、複層ガラス等であってもよい。
【０１６５】
また、内窓４の外障子５０Ａにおいて、屋外側突出部４１２の屋外側及び屋内側にそれぞれ気密材５２９，５３９が設けられ、屋外側突出部４１２を挟んで屋内外両側で気密性が確保されている。また、レール部４４２の屋外側及び屋内側にそれぞれ気密材５４９，５５１が設けられ、レール部４４２を挟んで屋内側両側で気密性が確保されている。また、外障子５０Ａと縦枠４３との間には気密材５５２が設けられ、気密性が確保されている。また、内窓４の内障子５０Ｂでも、屋内側突出部４２２の屋外側及び屋内側にそれぞれ気密材５２９，５３９が設けられ、屋内側突出部４２２を挟んで屋内外両側で気密性が確保されている。また、レール部４４３の屋外側及び屋内側にそれぞれ気密材５４９，５５１が設けられ、レール部４４３を挟んで屋内側両側で気密性が確保されている。また、内障子５０Ｂと縦枠４３との間には気密材５５３が設けられ、気密性が確保されている。また、外障子５０Ａの召合せ框５５と内障子５０Ｂの召合せ框５５との間には、気密材５６９，５８９が設けられ気密性が確保されている。つまり、本実施形態の内窓４は、気密性が高く、負圧が生じた際には、内窓４に大きな負圧が作用しやすい。よって、中間層Ｍ（図２参照）の隙間Ｓ１から外窓１に形成された隙間Ｓ１，Ｓ２まで連通した空気の流路を形成して、中間層Ｍの圧力を低減させることは、気密性が高い内窓４の外障子５０Ａ及び内障子５０Ｂが枠体４０から外れさせないために、重要な構成である。
【符号の説明】
【０１６６】
１…外窓
４，４Ａ…内窓
１０，４０…枠体
１１，４１…上枠
１２，４２…下枠
１３，４３…縦枠
２０Ａ，５０Ａ，５０Ｃ…外障子
２０Ｂ，５０Ｂ，５０Ｄ…内障子
２１，５１…框体
２２，５２…上框
２３，５３…下框
２４，５４…戸先框
２５，５５Ａ，５５Ｂ…召合せ框
２６，５６…框
２７，５７…ガラス保持溝
２９，５９…ガラス
３０…網戸
１００，１００Ａ…二重サッシ
４１６…外れ止め金具（枠係合部）
４１７…取付金具部
４１８…係合金具部
５９０…第１係合金具（第１係合突起）
５９１…第１固定金具部
５９２…第１突出金具部
５９３…第１係合金具部
５９５…第２係合金具（第２係合突起）
５９６…第２固定金具部
５９７…第２突出金具部
５９８…第２係合金具部
Ｍ…中間層
Ｍ１…障子間層
Ｐ…開口部
ＳＡ，Ｓ１，Ｓ２…隙間
Ｗ…壁部
【図１】
2019120089.tif 000003
【図２】
2019120089.tif 000004
【図３】
2019120089.tif 000005
【図４】
2019120089.tif 000006
【図５】
2019120089.tif 000007
【図６】
2019120089.tif 000008
【図７】
2019120089.tif 000009
【図８】
2019120089.tif 000010
【図９】
2019120089.tif 000011
【図１０】
2019120089.tif 000012
【図１１】
2019120089.tif 000013
【図１２】
2019120089.tif 000014
【図１３】
2019120089.tif 000015
【図１４】
2019120089.tif 000016
【図１５】
2019120089.tif 000017
【図１６】
2019120089.tif 000018
【図１７】
2019120089.tif 000019